(57)【要約】【課題】ＰＣやプリンタを持たない利用客にも写真データ預貯金サーバを用いたデジタル印刷の世界に参画させ、利便性を提供する。【解決手段】写真データ預貯金サーバを用いた写真輸送サービス提供システムは、利用者によって端末装置が操作されることによりアップロードされる撮影データを取り込み、当該撮影データを、写真データ預貯金サーバに登録する撮影データ取り込み部３４と、撮影データの登録に伴い通知される識別情報、ならびに利用者によって指定される出力先情報に基づき利用者が記端末装置を操作することによって生成される撮影データの送信要求を受信し、写真データ預貯金サーバから所望の撮影データを読み出し、送り状を添付してダウンロード提供する撮影データ提供部３７で構成される。【選択図】      図２
2005182600.tif 000002
【特許請求の範囲】
【請求項１】
端末装置と通信ネットワークを介して接続される写真データ預貯金サーバを用いた写真輸送サービス提供システムであって、
前記端末装置からアップロードされる撮影データを取り込み、当該撮影データを、前記写真データ預貯金サーバに登録する撮影データ取り込み部と、
前記撮影データの登録に伴い通知される識別情報、ならびに利用者によって指定される出力先情報に基づき前記端末装置によって生成される撮影データの送信要求を受信し、前記写真データ預貯金サーバから送信要求に応じた撮影データを読み出し、送り状を添付してダウンロード提供する撮影データ提供部と、
を備えたことを特徴とする写真データ預貯金サーバを用いた写真輸送サービス提供システム。
【請求項２】
前記アップロードされる撮影データを受信するときに前記要求のあった端末装置を介して課金請求を行い、当該課金処理が実施されたことを契機に前記撮影データ取込み部による撮影データの取込みを許可する第１の課金処理部と、
前記撮影データをダウンロード提供するときに課金請求を行い、当該課金処理が実施されたことを契機に前記撮影データ提供部による撮影データのダウンロードを許可する第２の課金処理部と、
を備えたことを特徴とする請求項１に記載の写真データ預貯金サーバを用いた写真輸送サービス提供システム。
【請求項３】
前記利用者の識別情報と出力先情報とを対応付けて記憶する出力先情報データベースと、
前記アップロードの際に前記出力先情報データベースを参照し、前記利用者の識別情報に対応する出力先情報を読み出し、出力先情報を選択させるように前記端末に送信する手段と
を有することを特徴とする請求項１または請求項２に記載の写真データ預貯金サーバを用いた写真輸送サービス提供システム。
【請求項４】
端末装置と通信ネットワークを介して接続される写真データ預貯金サーバを用いた写真輸送サービス提供システムにおける撮影データの預け入れ・取出し方法であって、
前記端末装置からアップロードされる撮影データを取り込み、当該撮影データを、前記写真データ預貯金サーバに登録するステップと、
前記撮影データの登録に伴い通知される識別情報、ならびに指定される出力先情報に基づき前記端末装置によって生成される撮影データの送信要求を受信し、前記写真データ預貯金サーバから送信要求に応じた撮影データを読み出し、送り状を添付してダウンロード提供するステップと、
を有することを特徴とする撮影データの預け入れ・取出し方法。
【請求項５】
端末装置と通信ネットワークを介して接続される写真データ預貯金サーバを用いた写真輸送サービス提供システムに用いられるプログラムであって、
前記端末装置からアップロードされる撮影データを取り込み、当該撮影データを、前記写真データ預貯金サーバに登録する処理と、
前記撮影データの登録に伴い通知される識別情報、ならびに指定される出力先情報に基づき前記端末装置によって生成される撮影データの送信要求を受信し、前記写真データ預貯金サーバから所望の撮影データを読み出し、送り状を添付してダウンロード提供する処理と、
をコンピュータに実行させるプログラム。
【発明の詳細な説明】
【技術分野】
【０００１】
本発明は、写真データ預貯金サーバを用いた写真輸送サービス提供システム、および同システムにおける撮影データ預け入れ・取出し方法、ならびにそのプログラムに関する。
【背景技術】
【０００２】
フィルムカメラに代わり、撮った写真をすぐに確認できるデジタルカメラが普及してきた。また、最近ではデジタルカメラが搭載された携帯電話の普及も著しく、写真撮影の機会が増えた。しかしながら、デジタルカメラはメモリがすぐに満杯となって撮影続行不可能となるケースが多々発生する。
フィルムカメラは、旅先等で撮り終わった後、フィルムをその場で購入し詰め換えを行うことによって撮影の続行が可能であるのに対し、デジタルカメラは、メモリが満杯になった場合、不要と思われるデータを消去しながら撮影を続行する必要がある。メモリカードは、その場で購入することは困難であり、予備のカードは高価であるため、持ち歩くことはほとんどない。
【０００３】
ところで、写真撮影や、写真の現像およびプリントの依頼、アルバム整理に手間をかけることなく、アルバム状に整理された旅行写真を受け取ることができる旅行写真システムが提案されている（例えば、特許文献１参照）。
具体的には、団体旅行の乗客を乗せて運行するバス等の乗り物に適用したものであり、添乗員、あるいはカメラマンが撮影した写真フィルムを現像し、デジタル画像に変換し、その画像を乗り物の前部、あるいは各座席に設置したモニターにプレビューし、乗客から注文があった写真をアルバムにして販売する。
【特許文献１】特開２００２−３１８７５８号公報
【発明の開示】
【発明が解決しようとする課題】
【０００４】
上記した特許文献１によれば、乗客は、添乗員等が撮影した写真を移動中にモニターで閲覧して気に入った写真を座席に座りながら注文することにより、旅行終了時点でアルバム状に整理された写真を受け取ることができる。
しかしながら、撮影主体は添乗員あるいはカメラマンであって、乗客ではない。また、アルバムの引き渡しも加工に時間がかかることから旅行終了時に制限され、乗客が必要な時点で即時に入手することはできない。更に、ネガ自体は業者側で保管するため、後日、拡大等の加工は不可能である。また、上記したデジタルカメラの欠点であるメモリ満杯時の継続使用に関する記載もない。
【０００５】
また、従来、デジタルデータを扱う場合、利用者はＰＣやプリンタ等を持たなければ自分で印刷、あるいは加工等、再利用することができず、また、それら設備があったとしてもその使い方を熟知していない限り、高精細での拡大、あるいは合成加工等、アナログにはないデジタル写真特有の印刷処理を行うことはできなかった。
【０００６】
本発明は上記諸々の事情に鑑みてなされたものであり、インターネット上に、撮影データを預け入れる写真データ預貯金サーバを構築し、必要なときに引出す仕組みを構築することにより、利用者はデジタルカメラのフィルム容量を意識することなく、かつ、必要なときに必要なだけ任意に加工し、自宅はもとより街角等適当な場所での印刷を可能とした写真データ預貯金サーバを用いた写真輸送サービス提供システム、および同システムにおける撮影データ預け入れ・取出し方法、ならびにそのプログラムを提供することを目的とする。
また、写真データ預貯金サーバから所望の撮影データを読み出して任意の宛先に送り状を添付してダウンロード提供する仕組みを構築することで、ＰＣやプリンタを持たない利用客にも写真データ預貯金サーバを用いて印刷を行うデジタル写真の世界に参画させることができ、かつ利便性を提供することのできる、写真データ預貯金サーバを用いた写真輸送サービス提供システム、および同システムにおける撮影データ預け入れ・取出し方法、ならびにそのプログラムを提供することも目的とする。
【課題を解決するための手段】
【０００７】
上記した課題を解決するために本発明は、端末装置と通信ネットワークを介して接続される写真データ預貯金サーバを用いた写真輸送サービス提供システムであって、前記端末装置からアップロードされる撮影データを取り込み、当該撮影データを、前記写真データ預貯金サーバに登録する撮影データ取り込み部と、前記撮影データの登録に伴い通知される識別情報、ならびに利用者によって指定される出力先情報に基づき前記端末装置によって生成される撮影データの送信要求を受信し、前記写真データ預貯金サーバから送信要求に応じた撮影データを読み出し、送り状を添付してダウンロード提供する撮影データ提供部と、を備えたことを特徴とする。
【０００８】
本発明によれば、例えば、利用者によってアップロードされる撮影データを取り込み、当該撮影データを写真データ預貯金サーバに登録し、撮影データの登録に伴い通知される識別情報ならびに利用者によって指定される出力先情報に基づき写真データ預貯金サーバから所望の撮影データを読み出して送り状を添付してダウンロード提供することで、例えば、出力先として郵送、運送業者、もしくは出力センター等の契約拠点を指定し、これら業者に印刷および写真輸送サービスを委託することで、ＰＣやプリンタを持たない利用客にもデジタル写真印刷の世界に参画させることができる。また、利用者はデジタルカメラのフィルム容量を意識することなく、かつ、必要なときに必要なだけ任意に加工し、自宅はもとより街角等適当な場所での印刷を可能とする。
なお、ここで、「写真データ預貯金サーバ」とは、端末と通信ネットワークを介して接続される観光写真サービス提供システムが持つ記憶装置のうち、事業者に割付けられる所定の記憶領域を有するサーバ装置のことをいう。
【０００９】
また、本発明において、上述した写真データ預貯金サーバを用いた写真輸送サービス提供システムにおいて、前記アップロードされる撮影データを受信するときに前記要求のあった端末装置を介して課金請求を行い、当該課金処理が実施されたことを契機に前記撮影データ取込み部による撮影データの取込みを許可する第１の課金処理部と、前記撮影データをダウンロード提供するときに課金請求を行い、当該課金処理が実施されたことを契機に前記撮影データ提供部による撮影データのダウンロードを許可する第２の課金処理部と、を備えたことを特徴とする。
【００１０】
本発明によれば、アップロードされる撮影データを写真データ預貯金サーバに登録するとき、および写真データ預貯金サーバから撮影データをダウンロード提供するときに課金請求を行い、当該課金が実施されたことを契機に撮影データのアップロードおよびダウンロードを許可することで、写真データ預貯金サーバを管理する事業者の契約拠点を含めた事業運営が可能となる。
【００１１】
また、本発明において、上述した写真データ預貯金サーバを用いた写真輸送サービス提供システムにおいて、前記利用者の識別情報と出力先情報とを対応付けて記憶する出力先情報データベースと、前記アップロードの際に前記出力先情報データベースを参照し、前記利用者の識別情報に対応する出力先情報を読み出し、出力先情報を選択させるように前記端末に送信する手段とを有することを特徴とする。
この発明によれば、利用者は、頻繁に利用する出力先と送付先について同じ情報を何度も入力する手間を省くことができる。
【００１２】
上記した課題を解決するために本発明は、端末装置と通信ネットワークを介して接続される写真データ預貯金サーバを用いた写真輸送サービス提供システムにおける撮影データの預け入れ・取出し方法であって、前記端末装置からアップロードされる撮影データを取り込み、当該撮影データを、前記写真データ預貯金サーバに登録するステップと、前記撮影データの登録に伴い通知される識別情報、ならびに指定される出力先情報に基づき前記端末装置によって生成される撮影データの送信要求を受信し、前記写真データ預貯金サーバから送信要求に応じた撮影データを読み出し、送り状を添付してダウンロード提供するステップと、を有することを特徴とする。
【００１３】
上記した課題を解決するために本発明は、端末装置と通信ネットワークを介して接続される写真データ預貯金サーバを用いた写真輸送サービス提供システムに用いられるプログラムであって、前記端末装置からアップロードされる撮影データを取り込み、当該撮影データを、前記写真データ預貯金サーバに登録する処理と、前記撮影データの登録に伴い通知される識別情報、ならびに指定される出力先情報に基づき前記端末装置によって生成される撮影データの送信要求を受信し、前記写真データ預貯金サーバから所望の撮影データを読み出し、送り状を添付してダウンロード提供する処理と、をコンピュータに実行させるプログラムである。
【発明を実施するための最良の形態】
【００１４】
以下、図面を参照しながら本発明実施形態について詳細に説明する。図１は、本発明の写真データ預貯金サーバを用いた写真輸送サービス提供システムのネットワーク接続環境を示す図である。
図１に示されるように、写真データ預貯金サーバ３（以下、単にＰＮＢサーバという）に、入力フロー１と出力フロー２がＩＰ（Internet Protocol）網４に接続されることで、本発明の写真データ預貯金サーバを用いた写真輸送サービス提供システムが構築される。ＰＮＢサーバ３には、利用者によって撮影された写真がアップロードされ、登録された撮影データを必要に応じてダウンロード提供する写真データ預貯金サーバが実装される。ここで、写真データ預貯金サーバとは、ＰＮＢサーバ３の記憶装置に割付けられる所定の記憶領域のことをいう。
【００１５】
具体的に、ＰＮＢサーバ３は、入力フロー１（ここでは、自宅にあるＰＣ１１、街頭にある街頭端末１２、事業者が持つ事業者端末１３のいずれか）から撮影データのアップロード要求を受信し、これら利用者、あるいは事業者に対して割当てられる写真データ預貯金サーバに撮影データを登録し、要求のあったそれぞれの端末１１、１２、１３に対し、その写真データ預貯金サーバを識別する識別情報を発行する。更に、出力フロー２を構成する端末（ここでは、拠点端末２１）に、先に発行された識別情報に基づき写真データ預貯金サーバから所望の撮影データをダウンロード提供する。
ここで、契約拠点とは、郵便局や運送業者、あるいは特定の出力センタを指し、あらかじめ写真データ預貯金サーバのサイト運営を行う事業者と契約して写真印刷および配送を委託された業者であり、印刷指示あるいは配送先は利用者あるいは事業者によって指示される。
【００１６】
本発明の写真データ預貯金サーバを用いた写真輸送サービス提供システムは、上記したＰＮＢサーバ３を核に、当該ＰＮＢサーバ３に対し、自宅、街頭、事業者のそれぞれが所持し管理するＰＣ１１、街頭端末１２、事業者端末１３、そして、拠点端末２１がＩＰ（Internet Protocol）網４を介して接続される構成になっている。ここで、ＰＣ１１、街頭端末１２、事業者端末１３を入力フロー１とし、拠点端末２１を出力フロー２として囲い込みして示してあるのは、それぞれが、撮影データアップロード要求、および撮影データダウンロード要求を発行し、そのための専用の機能を実行するためである。
なお、ここで、街頭端末１２は、空港、駅、ホテル等の公共機関、あるいはコンビニ等、利用者が集まる場所に設置されている端末を想定している。図３に、街頭端末１２の内部構成がブロック図で示されている。また、ここで、契約拠点とあるのは、事前契約された郵送業者等が保有するプリンタを用いて出力し利用者が指定する送付先に郵送を依頼することを考慮してのものである。
【００１７】
街頭端末１２は、ＣＰＵ１２１を核に、プログラムメモリ１２２、ＮＩＣ１２３（Network Interface）、液晶タッチパネル１２４、メモリカードリーダ１２５、プリンタ（ＰＲＴ）１２６が、アドレス、データ、コントロールのためのラインが複数本で構成されるシステムバス１２７に共通接続され構成される。
ＣＰＵ１２１は、プログラムメモリ１２２に格納されたプログラムを順次読み出し、利用者による撮影データのアップロード要求、あるいは撮影データのダウンロード要求を、ＩＰ網４を介して接続されるＰＮＢサーバ３と協動して処理する。また、必要に応じて、ＰＮＢサーバ３からダウンロードされる撮影データに基づき利用者の要求に従う印刷も行う。ＮＩＣ１２３は、ＩＰ網３とのインタフェースを司り、ここでは、ＴＣＰ／ＩＰ（Transmission Control Protocol／Internet Protocol）が実装される。
【００１８】
液晶タッチパネル１２４は、利用者とのマンマシンインタフェースを司るものであり、上記した撮影データのアップロード、ダウンロード要求を入力する他に、ＰＮＢサーバ３から提供される撮影データのプレビュー表示等を行う、また、課金データの表示も行う。メモリカードリーダ１２５は、デジタルカメラ内蔵の、例えば、フラッシュメモリが差し込まれ、当該フラッシュメモリから撮影データを読み出し、ＮＩＣ１２３経由でＰＮＢサーバ３の保管庫へアップロードする。ここで、記憶領域が空になったフラッシュメモリは、利用者が持ち帰ることで継続して撮影が可能になる。
なお、プリンタ１２６は、ダウンロード入手した撮影データを印刷するもので、事前に液晶タッチパネル１２４を介して利用者との間でサイズや枚数等のデータ交換が行われ、その内容に従う印刷を行う。
【００１９】
図２は、図１に示すＰＮＢサーバ３の内部構成を機能展開して示したブロック図である。ＰＮＢサーバ３は、機能的に、ＰＮＢ入力要求受信部３１と、課金処理部３２と、識別情報発行部３３と、撮影データ取込み部３４と、ＰＮＢデータファイル３５と、ＩＤ／ＰＷファイル３６と、撮影データ提供部３７と、認証部３８と、ＰＮＢ出力要求受信部３９と、課金処理部４０に大別され、構成される。
【００２０】
ＰＮＢ入力要求受信部３１は、利用者によって操作されるＰＣ１１、街頭端末１２、あるいは事業者によって操作される事業者端末１３から撮影データのアップロード要求を受信する機能を持ち、撮影データ取込み部３４は、その利用者もしくは事業者に対して割当てられる写真データ預貯金サーバ（ここではＰＮＢファイル３５）に取込んだ撮影データを登録する機能を持つ。
また、識別情報発行部３３は、撮影データのアップロード要求を発行した入力フロー１（端末１１、１２、１３のうちいずれか）に対し、利用者あるいは事業者を識別するＩＤ、パスワード等の識別情報を発行する機能を持ち、課金処理部３２は、撮影データのアップロード要求を受信したときに要求のあった入力フロー１（端末１１、１２、１３のうちいずれか）を介して利用者あるいは事業者に課金請求を行い、当該課金が実施されたことを契機に撮影データ取込み部３４による撮影データの取込みを許可する機能を持つ。
【００２１】
一方、ＰＮＢ出力要求受信部３９は、利用者が入力フロー１を構成する端末（自宅ＰＣ１１、街頭端末１２、事業者端末１３）を操作することにより生成される撮影データの出力要求を受信し、認証部３８へＩＤ、パスワード等の識別情報を通知する。
認証部３８は、ＩＤ／ＰＷファイル３６に登録されたＩＤ／パスワードと照合し一致がとれた場合にのみ、撮影データ提供部３７に対してＰＮＢファイル３５の検索を指示する機能を持つ。また、課金処理部４０は、撮影データの出力要求を受信したときに要求のあった入力フロー１（端末１１、１２、１３）を介して利用者もしくは事業者に課金請求を行い、当該課金が実施されたことを契機に撮影データ提供部３７による撮影データのダウンロード提供を許可する機能を持つ。
撮影データ提供部３７は、識別情報に基づきＰＮＢファイル３５から所望の撮影データを検索して得、要求のあった入力フロー（端末１１、１２、１３）によって指定される拠点端末２１へダウンロード提供する機能を持つ。出力フロー２を構成する拠点端末２１は、送付状を添付してダウンロード提供される撮影データを印刷して送付状に記載された宛先へ郵送もしくは配送する。
【００２２】
図４、図５は、本発明実施形態の動作を説明するために引用したフローチャートであり、一部、本発明のプログラムの処理手順も示している。
以下、図４、図５に示すフローチャートを参照しながら図１〜図３に示す本発明実施形態の動作について詳細に説明する。
まず、ＰＮＢサーバ３は、入力フロー１（自宅ＰＣ１１、街頭端末１２、事業者端末１３のいずれか）により発行される撮影データアップロード要求をＰＮＢ入力要求受信部３１で受信する（Ｓ４１）。ここでは、撮影データをアップロードしてもらう際に、利用者から端末を介して、送り先となる受け取り主の住所、氏名についても入力して出力先情報として送信してもらう。これを受けた課金処理部３２は、課金請求表示を行い（Ｓ４２）、当該請求に対して課金実行（入力される個人情報あるいは料金徴収）を確認して（Ｓ４３）識別情報発行部３３および撮影データ取り込み部３４を起動する。
ここで、撮影データ取込み部３４は、ＰＮＢファイル３５にメモリ領域を割当て（Ｓ４４）、その領域に入力フロー１（自宅ＰＣ１１、街頭端末１２、事業者端末３１のいずれか）からアップロードされた撮影画像を記録する（Ｓ４５）。また、識別情報発行部３３は、利用者もしくは事業者に対し割当てられるＩＤとパスワードを発行し、要求のあった入力フロー１（自宅ＰＣ１１、街頭端末１２、事業者端末１３のいずれか）へ送信する（Ｓ４６）。
【００２３】
次に、ＰＮＢサーバ３は、入力フロー１（自宅ＰＣ１１、街頭端末１２、事業者端末３１のいずれか）を介して発行される撮影データ出力要求をＰＮＢ出力要求受信部３９で受信する（図５のＳ４７）。このとき、ＰＮＢサーバ３は、出力先、および送付先も併せて受信する。
認証部３８は、ＩＤ／ＰＷファイル３６に格納されている識別情報を参照してＩＤとパスワードを認証し（Ｓ４８）、利用者あるいは事業者のために割当てられたＰＮＢファイル３５の該当領域を撮影データ提供部３７に通知する。撮影データ提供部３７は、ＰＮＢファイル３５から所望の撮影データを読出し、読み出された撮影データをサムネール表示し要求のあった入力フロー１（自宅ＰＣ１１、街頭端末１２、事業者端末１３のいずれか）に対し、ダウンロード提供を希望する撮影データの選択入力を促す（Ｓ４９）。撮影データ提供部３７は、更に、利用者、あるいは事業者からの撮影データの選択入力を取り込み（Ｓ５０）、該当する撮影データを指定された出力先に該当する拠点端末２１へ送り状を添付してダウンロード提供する（Ｓ５２、Ｓ５３）。
【００２４】
なお、撮影データをダウンロード提供するにあたり、課金処理部４０により課金請求がなされ、課金を契機にダウンロード提供が許可される（Ｓ５１）。すなわち、課金処理部４０は、要求先が例えば自宅ＰＣ１１であった場合、当該自宅ＰＣ１１を介して利用者に課金請求を行い、課金実行後（個人情報入力または料金徴収）、撮影データ提供部３７が拠点端末２１に対し選択された撮影データをダウンロード提供する。そして、契約拠点では、拠点端末２１で印刷された写真を、指定された送り先に郵送もしくは宅配する（Ｓ５４）。
【００２５】
なお、利用者または事業者は、ダウンロード提供された撮影データの印刷を契約拠点に依頼し、コンビニ等、最寄りの端末設置場所を指定し、その場所に直接出向いて写真を入手することも可能である。勿論、上記したように郵送あるいは宅配を依頼して写真を入手することも可能である。
【００２６】
以上説明のように本発明は、利用者によりアップロードされる撮影データを取り込み、当該撮影データを写真データ預貯金サーバに登録し、撮影データの登録に伴い通知される識別情報ならびに利用者によって指定される出力先情報に基づき写真データ預貯金サーバから所望の撮影データを読み出して送り状を添付してダウンロード提供することで、例えば、出力先として郵送、運送業者、もしくは出力センター等の契約拠点を指定し、これら業者に印刷および写真輸送サービスを委託することで、ＰＣやプリンタを持たない利用客にもデジタル印刷の世界に参画させることができる。また、利用者はデジタルカメラのフィルム容量を意識することなく、かつ、必要なときに必要なだけ任意に加工し、自宅はもとより街角等適当な場所での印刷を可能とする。
また、上述した実施形態によれば、送り状となるデータを添付して撮影データをダウンロードさせるようにしたので、郵便局や運送業者などの契約拠点は、撮影データを印刷する際に、撮影データが印刷されるとともに送り状も自動的に同時に印刷されるので、印刷された撮影データが印刷された印刷媒体と送り状をそのまま所定の封筒等に封入して配送することができ、これにより、契約拠点の作業者自身が送り状を別個に作成する手間を省くことができる。また、印刷された撮影データと送り状を一括して管理することができるので、別々に作成する場合に比べて、印刷された撮影データと送り状との対応付けの管理が簡単になり、対応付けのミス低減させることができる。
更に、アップロードされる撮影データを写真データ預貯金サーバに登録するとき、および写真データ預貯金サーバから撮影データをダウンロード提供するときに利用者に課金請求を行い、当該課金が実施されたことを契機に撮影データのアップロードおよびダウンロードを許可することで、写真データ預貯金サーバを管理する事業者の契約拠点を含めた事業運営が可能となる。
【００２７】
また、上述した実施形態において、出力先、送付先について、端末（自宅ＰＣ１１、街頭端末１２、事業者端末１３のいずれか）から入力する場合について説明したが、この入力は、一度入力された出力先と送付先について、撮影データをアップロードした利用者のＩＤと対応付けて写真データ預貯金サーバ３に設けられる出力先情報データベースに登録しておくようにし、同じ利用者から次回にアップロードを要求された場合に、その利用者のＩＤに対応する出力先情報を出力先情報データベースから読み出して、出力先情報を選択させるべく端末に送信して端末上に表示させ、その中から選択させるようにしてもよい。また、この出力先と送付先について記録したカード（磁気カード、ＩＣカードなど）を撮影データのアップロード時に端末から発行しておき、次回アップロードして撮影データの郵送サービスを利用する際に利用してもらうようにしてもよい。これにより、利用者は、頻繁に利用する出力先と送付先について同じ情報を何度も入力する手間を省くことができる。また、送り先を選択する場合には、利用者が複数の送り先を設定するようにし、写真データ預貯金サーバ３が、送り先毎に契約拠点に送り状と共に印刷するようにしてもよい。ここで、出力先については、写真データ預貯金サーバ３が契約拠点とその契約拠点が担当する地域の住所を拠点選択データベースとして記憶しておき、送り先を利用者から入力してもらった際に、自身に設けられた拠点選択手段によって、送り先の住所に最も近い契約拠点を拠点選択データベースを参照して選択するようにしてもよい。これにより、利用者は、配送にかかる料金がもっとも安い拠点から配送してもらうことができる。
【００２８】
また、送付先を入力する際に、利用者に端末を介してコメントを入力してもらうようにし、このコメントを送り状に付加するようにしてもよい。これにより、送り主と受け取り主とのコミュニケーションを円滑に図ることができる。たとえば、送り主は、受け取り主を自宅に設定するほか、親戚の家、友達の家などに設定しておくことによって、自分が印刷用紙を購入して印刷し封筒に入れて宛先を書いて送付する場合に比べて手間を省くことができるので、従来より簡単であり、気軽に親戚や友達に撮影データを印刷して送付することができ、撮影データを有効に活用することができるとともに、遠方の受け取り主ともより円滑にコミュニケーションを図ることができる。
【００２９】
なお、図２に示すＰＮＢ要求受信部３１と、課金処理部３２と、識別情報発行部３３と、撮影データ取込み部３４と、撮影データ提供部３７と、認証部３８と、ＰＮＢ出力要求受信部３９と、課金処理部４０のそれぞれで実行される手順をコンピュータ読み取り可能な記録媒体に記録し、この記録媒体に記録されたプログラムをコンピュータシステムに読み込ませ、実行することによって本発明を実現するものである。ここでいうコンピュータシステムとは、ＯＳや周辺機器等のハードウェアを含む。
【００３０】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３１】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３２】
【図１】本発明が使用されるネットワーク接続環境を示す図である。
【図２】図１に示すＰＮＢサーバの内部構成を機能展開して示したブロック図である。
【図３】図１に示す街角端末の内部構成をブロックで示す図である。
【図４】本発明実施形態の動作をフローチャートで示した図である。
【図５】本発明実施形態の動作をフローチャートで示した図である。
【符号の説明】
【００３３】
１…入力フロー、２…出力フロー、３…写真データ預貯金サーバ（ＰＮＢサーバ）、４…ＩＰ網、３１…ＰＮＢ入力要求受信部、３２、４０…課金処理部、３３…識別情報発行部、３４…撮影データ取込み部、３５ＰＮＢファイル、３６…ＩＤ／ＰＷファイル、３７…撮影データ提供部、３８…認証部、３９…ＰＮＢ出力要求受信部
【図１】
2005182600.tif 000003
【図２】
2005182600.tif 000004
【図３】
2005182600.tif 000005
【図４】
2005182600.tif 000006
【図５】
2005182600.tif 000007